(57)【要約】  ユーザの健康状態に応じた有益な番組の情報を、そのユーザが見つけることを容易にする情報提供装置を提供する。ユーザの身体の測定項目に関する測定値を参照し、上記測定値が標準値範囲の値であるか否かを判定する判定部（２１）と、上記測定値が上記標準値範囲の値ではないと判定された場合に、上記測定項目に応じたキーワードを用いて番組表から上記ユーザ向けの推奨番組を抽出する番組抽出部（２３）と、上記推奨番組のリストを提示するリスト作成部（２４）とを備えている。
2016140280.tif 000002
【特許請求の範囲】
【請求項１】
ユーザの身体のある測定項目に関する測定値を参照し、上記測定値が標準値範囲の値であるか否かを判定する判定部と、
上記測定値が上記標準値範囲の値ではないと判定された場合に、上記測定項目に応じた所定のキーワードを用いて上記ユーザ向けの推奨番組を検索する検索部と、
上記推奨番組を上記ユーザに認識させるための情報を提示する情報提示部とを備えている、
ことを特徴とする情報提示装置。
【請求項２】
携帯端末から上記測定値を無線で受信する受信部をさらに備える
ことを特徴とする請求項１に記載の情報提示装置。
【請求項３】
上記判定部は、複数のユーザの各々の上記測定値について判定を行い、
上記検索部は、上記測定値が上記標準値範囲の値ではないと判定された各ユーザについて、該ユーザ向けの推奨番組を検索する
ことを特徴とする請求項１または２に記載の情報提示装置。
【請求項４】
上記検索部は、記憶部に記憶されている録画済みの複数の番組の中から上記推奨番組を検索する
ことを特徴とする請求項１〜３の何れか１項に記載の情報提示装置。
【請求項５】
上記検索部に代えて、上記測定値が上記標準値範囲の値ではないと判定された場合に、上記測定項目に応じて予め定められたジャンルの番組を上記ユーザ向けの推奨番組として検索する検索部を備えている、
ことを特徴とする請求項１〜４の何れか１項に記載の情報提示装置。
【請求項６】
上記測定項目の標準値範囲からの該測定項目に関する測定値の逸脱の度合いに基づいて、該測定項目に対応するキーワードを用いて検索される推奨番組の推奨度を決定する決定処理部を備え、
上記判定部は、複数の測定項目の各々の上記測定値について判定を行い、
上記検索部は、複数の測定項目について測定値が上記標準値範囲の値ではないと判定された場合に、該複数の測定項目に対応する複数のキーワードを用いて、上記ユーザ向けの推奨番組を検索するようになっており、
上記情報提示部が提示する情報は、上記推奨番組を上記推奨度の高い順に上記ユーザに認識させるための情報である
ことを特徴とする請求項１〜４の何れか１項に記載の情報提示装置。
【請求項７】
ユーザの身体のある測定項目に関する測定値を参照し、上記測定値が標準値範囲の値であるか否かを判定する判定ステップと、
上記測定値が上記標準値範囲の値ではないと判定された場合に、上記測定項目に応じた所定のキーワードを用いて上記ユーザ向けの推奨番組を検索する検索ステップと、
上記推奨番組を上記ユーザに認識させるための情報を提示する情報提示ステップとを含む、
ことを特徴とする情報提示方法。
【請求項８】
請求項１〜６の何れか１項に記載の情報提示装置としてコンピュータを機能させるための情報提示プログラムであって、上記判定部、検索部、および情報提示部としてコンピュータを機能させるための情報提示プログラム。
【請求項９】
請求項８に記載の情報提示プログラムを記録したコンピュータ読み取り可能な記録媒体。
【発明の詳細な説明】
【技術分野】
【０００１】
本発明は、情報提示装置、情報提示方法、情報提示プログラム、および記録媒体に関する。
【背景技術】
【０００２】
近年、健康への関心が高まり、多くの健康関連機器が発表されている。【０００３】
そのような健康関連機器の中には、自機を装着している人の脈拍等を常に監視する機器もある。また、そのような健康関連機器の中には、外部のパーソナルコンピュータ等に定期的に体重等の測定結果を送信することで、パーソナルコンピュータ等を用いた健康状況の管理を可能にする機器もある。【０００４】
また、そのような健康関連機器が計測したユーザの生体情報を利用して、そのユーザの健康状態に客観的に適した音楽、音声等のコンテンツを自動で再生するシステムも提案されている（特許文献１参照）。
【先行技術文献】
【特許文献】
【０００５】
【特許文献１】特開２００９−１９９３８３号公報（２００９年９月３日公開）
【発明の概要】
【発明が解決しようとする課題】
【０００６】
ところで、放送局が大幅に増えるに連れて、ユーザは、テレビを通じて、多数の様々な番組を視聴できるようになっている。【０００７】
その一方で、ユーザが、様々な番組の中から自身にとって有益な番組を見つけ出すことが一層難しくなる、という問題も生じている。【０００８】
特許文献１が開示する技術では、そのような問題を解決することができない。【０００９】
本発明は、上記の問題に鑑みてなされたものであり、その目的は、ユーザの健康状態に応じた有益な番組の情報を、そのユーザが見つけることを容易にする情報提供装置を提供することにある。
【課題を解決するための手段】
【００１０】
上記の課題を解決するために、本発明の一態様に係る情報提示装置は、ユーザの身体のある測定項目に関する測定値を参照し、上記測定値が標準値範囲の値であるか否かを判定する判定部と、上記測定値が上記標準値範囲の値ではないと判定された場合に、上記測定項目に応じた所定のキーワードを用いて上記ユーザ向けの推奨番組を検索する検索部と、上記推奨番組を上記ユーザに認識させるための情報を提示する情報提示部とを備えている。【００１１】
また、本発明の他の態様に係る情報提供方法は、ユーザの身体のある測定項目に関する測定値を参照し、上記測定値が標準値範囲の値であるか否かを判定する判定ステップと、上記測定値が上記標準値範囲の値ではないと判定された場合に、上記測定項目に応じた所定のキーワードを用いて上記ユーザ向けの推奨番組を検索する検索ステップと、上記推奨番組を上記ユーザに認識させるための情報を提示する情報提示ステップとを含んでいる。
【発明の効果】
【００１２】
本発明の一態様に係る情報提示装置および情報提供方法によれば、ユーザの健康状態に応じた有益な番組の情報を、そのユーザが見つけることを容易にする、という効果を奏する。
【図面の簡単な説明】
【００１３】
【図１】本発明の実施形態１に係るテレビ、および健康情報携帯端末の外観図である。
【図２】本発明の実施形態１に係るテレビのハードウェア構成を示すハードウェアブロック図である。
【図３】本発明の実施形態１に係るテレビの情報提示機能の構成を示す機能ブロック図である。
【図４】本発明の実施形態１に係るテレビの情報提示処理の流れを示すフローチャートである。
【図５】本発明の実施形態１に係るＥＰＧ（electronic program guide）の表示の一例である。
【図６】本発明の実施形態２に係るテレビの情報提示処理の流れを示すフローチャートである。
【図７】本発明の実施形態３に係るテレビの情報提示機能の構成を示す機能ブロック図である。
【図８】本発明の実施形態４に係るテレビの情報提示機能の構成を示す機能ブロック図である。
【発明を実施するための形態】
【００１４】
〔実施形態１〕
以下、本発明の実施の形態について、詳細に説明する。図１は、本発明に係る情報提示装置の一例であるテレビ１と、テレビ１との間で近距離通信が可能な健康情報携帯端末２を携帯したユーザとの外観図であり、図２は、テレビ１のハードウェアブロック図である。
【００１５】
本発明の一実施形態において、ユーザは、図１に図示するように、スマートフォン等の携帯端末としての健康情報携帯端末２を携帯してテレビ１に近付くと、推奨番組をそのユーザに認識させるための情報の提示を受けることができる。健康情報携帯端末２には、血圧計、体重計等の各種の健康測定機器から測定値を収集することによって作成された、健康情報携帯端末２のユーザの健康情報が記録されている。
【００１６】
図２に示すように、本実施形態のテレビ１は、送受信部１０（受信部）、チューナー１１、表示部１２、画像処理部１３、スピーカ１４、音声処理部１５、制御部１６、およびメモリ１７を備えている。
【００１７】
送受信部１０は、例えばブルートゥース（登録商標）４．０通信方式を利用し、健康情報携帯端末２とデータを送受信する。
【００１８】
チューナー１１は、放送波から、選局されているチャンネルの番組の映像信号および音声信号を抽出する。
【００１９】
表示部１２は、映像信号に応じた映像やＥＰＧ（electronic program guide）を表示するディスプレイである。
【００２０】
画像処理部１３は、映像信号を処理して、表示部１２に映像を表示させるように制御する。
【００２１】
スピーカ１４は、音声信号に応じた音声を出力する。
【００２２】
音声処理部１５は、音声信号を処理して、スピーカ１４に音声を出力させるようにする。
【００２３】
制御部１６は、ＣＰＵであり、送受信部１０を介して健康情報携帯端末２から受信したデータを解析して、ユーザへの情報提示を制御する。
【００２４】
メモリ１７は、キーワードテーブル、ＥＰＧ、および送受信部１０を介して健康情報携帯端末２から受信したデータ等を記憶するための記録媒体である。
【００２５】
次に、図３を参照して、テレビ１における情報提示機能を説明する。情報提示機能は主に制御部１６による制御、およびメモリ１７に記憶される情報により実現される。
【００２６】
図３に示すように、制御部１６は、所定の情報提示プログラムを実行することにより、取得部２０、判定部２１、キーワード選定部２２、番組抽出部２３、およびリスト作成部２４（情報提示部）として機能する。また、メモリ１７は、標準値テーブル３０、キーワードテーブル３１、およびＥＰＧ３２を記憶している。
【００２７】
取得部２０は、送受信部１０を介して健康情報携帯端末２に対して、ＩＤおよび健康情報を送信するように依頼する。取得部２０は、送受信部１０を介して健康情報携帯端末２からＩＤおよび健康情報を受信する。ここでＩＤは健康情報携帯端末２を携帯するユーザを特定するユーザＩＤであってよい。ユーザＩＤは、例えば、事前にテレビ１がユーザ登録処理によって生成し、ユーザによって事前に健康情報携帯端末２に入力されたものであってもよい。
【００２８】
取得部２０は、例えば表１に示すようなデータを受信すればよい。このデータには、ユーザＩＤが割り当てられたユーザの性別情報、年齢情報、健康情報（血圧、脈拍、呼吸数、発汗量、体重値、体温値）が含まれる。
【００２９】
【表１】
2016140280.tif 000003
【００３０】
判定部２１は、取得部２０が取得したユーザＩＤおよび健康情報を受け取る。また、判定部２１は、メモリ１７に記憶されている標準値テーブル３０（例えば、表２に示すようなテーブル）から、取得部２０が取得したユーザＩＤに該当するユーザの標準値を取得する。
【００３１】
【表２】
2016140280.tif 000004
【００３２】
なお、本実施形態では、標準値テーブル３０における血圧標準値、脈拍標準値、呼吸数標準値、および、標準体温値を、標準値範囲の上限値と下限値との組み合わせとしているが、標準値範囲の中央値としてもよい。また、本実施形態では、標準値テーブル３０における発汗量標準値および標準体重値を、標準値範囲の中央値としているが、標準値範囲の上限値と下限値との組み合わせとしてもよい。
【００３３】
また、本実施形態において、ユーザの身体の各測定項目の標準値範囲は、そのユーザの過去の測定履歴に基づいて定められるものであり、該測定履歴に残っている該当する測定項目の測定値の平均値の±１０％の範囲である。ただし、各測定項目の標準値範囲は、そのようなものに限定されない。例えば、各測定項目の標準値範囲は、健康診断において定められている標準値範囲であってもよい。
【００３４】
判定部２１は、測定項目ごとに、健康情報携帯端末２から取得した健康情報に含まれる各種測定値と標準値テーブル３０に記憶されている各種標準値とを比較し、測定項目毎に測定値が標準値範囲内の値なのか標準値範囲外の値なのかを判定する。なお、測定値を中央値と比較する場合は、例えば、測定値が中央値の±１０％内に入っているときに限り、測定値が標準値範囲内の値であると判定すればよい。
【００３５】
判定部２１は、測定値が標準値範囲外であった測定項目の項目ＩＤをキーワード選定部２２に渡す。
【００３６】
具体的には、本実施形態における判定部２１は、そのような測定項目毎に、測定値の異常度（測定値の標準値範囲からの逸脱の度合い）を示すレベル（重み付け係数）を特定した上で該重み付け係数と該測定項目の項目ＩＤとを一緒にキーワード選定部２２に渡す。
【００３７】
なお、判定部２１は、一部の測定項目（血圧、体温、体重）については、測定値が標準値範囲よりも高いか低いかを示す状態値を、重み付け係数および項目ＩＤと一緒にキーワード選定部２２に渡す。
【００３８】
キーワード選定部２２は、メモリ１７に記憶されているキーワードテーブル３１（例えば下記表３に示すようなテーブル）から、判定部２１から渡された各項目ＩＤについて、項目ＩＤに対応する１つ以上のキーワードを選定する。
【００３９】
【表３】
2016140280.tif 000005
【００４０】
具体的には、キーワード選定部２２は、判定部２１から渡された各項目ＩＤについて、その項目ＩＤと一緒に判定部２１から渡された重み付け係数と、その項目ＩＤに対応する選定した１つ以上のキーワードとを一緒に番組抽出部２３に渡す。
【００４１】
なお、キーワードテーブル３１には、多くの測定項目に対応するキーワードであって、該多くの測定項目のうちの任意の測定項目が異常値であるようなユーザにとって有益な番組を検索するためのキーワードが含まれている。このキーワード（以下、「安静関連キーワード」と称する）としては、癒し、旅、環境映像、のんびり、リラックス等が該当する。
【００４２】
番組抽出部２３（検索部）は、キーワード選定部２２からキーワードおよび重み付け係数を受領して、メモリ１７に含まれるＥＰＧからそのキーワードに合った番組（対象ユーザ向けの推奨番組）を抽出（検索）する。
【００４３】
番組抽出部２３は、キーワード選定部２２から受領した重み付け係数の大きい順に、抽出した推奨番組の番組情報をリスト作成部２４に渡す。
【００４４】
リスト作成部２４は、番組抽出部２３から番組情報を受領して、推奨番組のリスト（例えば下記表４に示されるリスト）を作成する。具体的には、リスト作成部２４は、番組抽出部２３からより早く受領した番組情報が、より先頭側に配置されるようなリストを作成する。
【００４５】
リスト作成部２４は、作成したリストを、画像処理部１３に渡す。
【００４６】
【表４】
2016140280.tif 000006
【００４７】
次に、図４を参照して、テレビ１における情報提示処理の流れを説明する。当該情報提示処理は、制御部１６によって実行される。
【００４８】
図４は、テレビ１における情報提示処理の流れを示すフローチャートである。
【００４９】
健康情報携帯端末２がテレビ１に接近し、健康情報携帯端末２との通信が開始したことが感知されたときに処理が開始する。
【００５０】
ステップＳ１において、取得部２０は、健康情報携帯端末２が健康情報を保持しているか否かを判定する。テレビ１は、「健康情報携帯端末２が健康情報を保持している」と判定した場合、ステップＳ２へ移行する。テレビ１は、「健康情報携帯端末２が健康情報を保持していない」と判定した場合、ステップＳ１に戻る。
【００５１】
ステップＳ２において、取得部２０は、健康情報携帯端末２のＩＤ（以下、「対象ＩＤ」とも称する）を取得し、取得した対象ＩＤを判定部２１に渡す。そして、判定部２１は、取得部２０から渡された対象ＩＤとメモリ１７の標準値テーブル３０に記憶されているＩＤと比較することで、対象ＩＤが割り当てられたユーザを特定し、ユーザが特定された旨を取得部２０に通知する。判定部２１は、標準値テーブル３０に対象ＩＤと一致するＩＤが含まれていない場合は、対象ＩＤを含む新規レコードを標準値テーブル３０に登録する。
【００５２】
ステップＳ３において、ユーザが特定された旨の通知を受けた取得部２０は、健康情報携帯端末２から健康情報（血圧、脈拍、呼吸数、体温、体重等の各測定項目の測定値）を受信する。
【００５３】
ステップＳ４において、判定部２１は、標準値テーブル３０内の対象ＩＤを含むレコードに含まれている、対象ユーザの各測定項目の標準値範囲を示す情報を、メモリ１７から取得する。
【００５４】
ステップＳ５において、判定部２１は、健康情報携帯端末２から受信した各測定項目（血圧、脈拍、呼吸数、体温、体重等）の測定値を、該測定項目の標準値範囲と比較する。
【００５５】
ステップＳ６において、判定部２１は、各測定項目について、測定値が標準値範囲内の値であるか否かを判定する。
【００５６】
テレビ１は、「全測定項目の測定値が標準値範囲内の値である」と判定した場合は、図４のフローチャートに従った処理を終了する。
【００５７】
一方、判定部２１は、「１つ以上の測定項目の測定値が標準値範囲内の値ではない」と判定した場合は、以下の処理を行った上で、ステップＳ７に移行する。
【００５８】
即ち、判定部２１は、該１つ以上の測定項目の各々について、測定値の標準値範囲からの逸脱の度合いを示す重み付け係数（一部の測定項目については重み付け係数と状態値）を特定する。判定部２１は、該１つ以上の測定項目の各々について、該重み付け係数（該重み付け係数と状態値）と測定項目の項目ＩＤとをキーワード選定部２２に渡した上で、ステップＳ７に移行する。
【００５９】
ステップＳ７において、キーワード選定部２２は、キーワードテーブル３１を参照することにより、判定部２１から渡された各項目ＩＤについて、該項目ＩＤ（測定項目）に対応するキーワードを選定する。
【００６０】
例えば、キーワード選定部２２が、判定部２１から、血圧の項目ＩＤと血圧が高いか低いかを示す状態値と、体温の項目ＩＤと体温が高いか低いかを示す状態値とを受け取ったケースを考える。この場合、キーワード選定部２２は、血圧の項目ＩＤと血圧が高いか低いかを示す状態値とに対応するキーワードを選定し、体温の項目ＩＤと体温が高いか低いかを示す状態値とに対応するキーワードを選定する。
【００６１】
ステップＳ７の後、キーワード選定部２２が、判定部２１から渡された各項目ＩＤについて、該項目ＩＤに対応する選定したキーワードと、判定部２１から該項目ＩＤと一緒に渡された重み付け係数とを番組抽出部２３に渡し、テレビ１はステップＳ８に移行する。
【００６２】
ステップＳ８において、番組抽出部２３は、ＥＰＧ３２が示す番組表の中から、選定されたキーワードに関連する番組（テレビ１および端末２のユーザ向けの推奨番組）を抽出（検索）し、抽出した推奨番組の番組情報をリスト作成部２４に渡す。
【００６３】
具体的には、番組抽出部２３（決定処理部）は、キーワード選定部２２からキーワードと一緒に渡された重み付け係数に基づいて、そのキーワードを使用して抽出する推奨番組の推奨度を決定し、推奨番組の番組情報を推奨度の高い順にリスト作成部２４に渡す。
【００６４】
より具体的には、番組抽出部２３は、キーワード選定部２２から渡された重み付け係数の大きい順に以下の処理を行う。
【００６５】
即ち、番組抽出部２３は、キーワード選定部２２から重み付け係数と一緒に渡されたキーワードに関連する１つ以上の番組を番組表の中から抽出する。そして、番組抽出部２３は、それら１つ以上の番組の番組情報（例えば、番組名、放送チャンネル、放送時間等の情報）をリスト作成部２４に渡す。
【００６６】
ステップＳ９において、リスト作成部２４は、番組抽出部２３から渡された番組情報を用いて推奨番組のリストを作成する。
【００６７】
具体的には、リスト作成部２４は、番組抽出部２３から番組情報を渡される度に、作成中のリストの末尾に、その番組情報を追加する。これにより、リスト作成部２４は、推奨番組を推奨度の高い順にユーザに認識させるようなリスト（具体的には、推奨番組の番組情報が推奨度の高い順に並んだリスト）を作成することになる。
【００６８】
リスト作成部２４（情報提示部）は、作成したリストを画像処理部１３を介して表示部１２に表示する。
【００６９】
例えば、キーワード選定部２２が、判定部２１から、血圧の項目ＩＤと血圧が高いか低いかを示す状態値と、体温の項目ＩＤと体温が高いか低いかを示す状態値とを受け取った場合であって、番組抽出部２３が図５の番組表から推奨番組を抽出した場合を考える。この場合、リスト作成部２４は、表４のようなリストを作成し、作成したリストを表示部１２に表示することになる。
【００７０】
以上、テレビ１における情報提示処理の流れについて説明した。
【００７１】
なお、以上の説明からわかるように、ステップＳ６において、判定部２１により複数の測定項目について測定値が標準値範囲の値ではないと判定された場合に、番組抽出部２３は、ステップＳ８において、該複数の測定項目に対応する複数のキーワードを用いて、テレビ１および端末２のユーザ向けの推奨番組を検索することになる。
【００７２】
（付記事項）
テレビ１は、リスト作成部２４に代えて、図示しない番組表表示処理部を備えていてもよい。
【００７３】
この場合、番組表表示処理部は、ステップＳ９において、番組抽出部２３から番組情報を渡される度に、その番組情報を含む番組セルの表示態様を、通常の番組セル（番組抽出部２３から受け取っていない番組情報を含む番組セル）とは異なる表示態様に変更する。
【００７４】
例えば、番組表表示処理部は、番組抽出部２３から渡された番組情報を含む番組セルの背景色を通常の番組セルの背景色とは異なる特定の色に変更してもよいし、番組抽出部２３から渡された番組情報を含む番組セルを強調表示（点滅表示）させてもよい。
【００７５】
その結果、番組表表示処理部によって表示される番組表は、例えば、図５に示すような番組表になる。
【００７６】
なお、ステップＳ８において、番組抽出部２３は、番組情報とともに重み付け係数（具体的には、その番組情報が表わす推奨番組の検索に使用されたキーワードと一緒にキーワード選定部２２から渡された重み付け係数）を番組表表示処理部に渡してもよい。
【００７７】
この場合、番組表表示処理部は、ステップＳ９において、番組抽出部２３から番組情報と重み付け係数とを渡される度に、その番組情報を含む番組セルの背景色を、その重み付け係数に対応する色となるように変更してもよい。
【００７８】
例えば、番組表表示処理部は、推奨度の高い推奨番組の番組セルの背景色を赤色に変化させ、推奨度の低い推奨番組の番組セルの背景色を黄色に変化させてもよい。
【００７９】
このように、番組表表示処理部は、推奨番組を該推奨番組の推奨度とともにユーザに認識させるような番組表（情報）を表示するようになっていてもよい。
【００８０】
なお、本実施形態に係るテレビ１に入力されるデータは、無線通信により健康情報携帯端末２から受信するデータであるが、有線通信によりクラウド上のサーバから入力されるデータであってもよいし、テレビ１の操作部（図示せず）を用いてテレビ１のユーザによる入力されるデータであってもよい。
【００８１】
また、本実施形態では、ＩＤをユーザ毎に一意なユーザＩＤとしたが、ＩＤを、健康情報携帯端末毎に一意な端末ＩＤとしてもよい。
【００８２】
〔実施形態２〕
本発明の他の実施形態について、更に図６に基づいて説明する。
【００８３】
図６は、本実施形態に係るテレビの情報提示処理の流れを示すフローチャートである。
【００８４】
本実施形態に係るテレビ１は、複数人のユーザの各健康情報携帯端末２から健康情報を取得し、上記複数人のユーザのうち、少なくとも一部の測定項目の測定値が標準値範囲の値ではないと各ユーザに対し、推奨番組の情報を提示する機能を備えている。
【００８５】
Ｎ台（Ｎ≧１）の健康情報携帯端末２がテレビ１に接近し、Ｎ台の健康情報携帯端末２との通信が開始したことが感知されたときにテレビ１の処理が開始する。
【００８６】
図６のステップＳ１０において、取得部２０は、Ｎ台の健康情報携帯端末２のうち全部または一部が健康情報を保持しているか否かを判定する。
【００８７】
テレビ１は、「Ｎ台の健康情報携帯端末２のうち全部または一部が健康情報を保持している」と判定した場合、ステップＳ１１へ移行する。テレビ１は、「Ｎ台の健康情報携帯端末２の全てが健康情報を保持していない」と判定した場合、ステップＳ１０に戻る。
【００８８】
ステップＳ１１において、取得部２０は、健康情報を保持している健康情報携帯端末２の台数を特定する。テレビ１は、そのような健康情報携帯端末２の台数が複数台（Ｍ台）である場合は、ステップ１２に移行する。
【００８９】
一方、テレビ１は、そのような健康情報携帯端末２の台数が１台である場合は、実施形態１のステップＳ２（図４のフローチャートのステップＳ２）に移行し、以降、図４のフローチャートのステップＳ３以下の処理を行う。
【００９０】
ステップＳ１２において、取得部２０は、Ｍ台の健康情報携帯端末２の各々からＩＤを取得し、取得した各ＩＤを判定部２１に渡す。そして、判定部２１は、取得部２０から渡された各ＩＤについて以下の処理を行う。
【００９１】
即ち、判定部２１は、対象ＩＤとメモリ１７の標準値テーブル３０に記憶されているＩＤと比較することで、対象ＩＤが割り当てられたユーザを特定する。なお、判定部２１は、標準値テーブル３０に対象ＩＤと一致するＩＤが含まれていない場合は、対象ＩＤをを含む新規レコードを標準値テーブル３０に登録する。
【００９２】
その後、判定部２１は、特定された各ユーザのＩＤを取得部２０に通知する。
【００９３】
ステップＳ１３において、各ユーザのＩＤの通知を受けた取得部２０は、該各ユーザの健康情報携帯端末２から健康情報を受信する。
【００９４】
その後、判定部２１は、上記各ユーザの各端末について、ステップＳ４およびステップＳ５と同様の処理を行う（ステップＳ１４およびステップＳ１５）。
【００９５】
ステップＳ１６において、判定部２１は、各ユーザの各測定項目について、測定値が標準値範囲内の値であるか否かを判定する。
【００９６】
テレビ１は、「全てのユーザの全測定項目の測定値が標準値範囲内の値である」と判定した場合は、図６のフローチャートに従った処理を終了する。
【００９７】
一方、判定部２１は、「１人以上のユーザの１つ以上の測定項目の測定値が標準値範囲内の値ではない」と判定した場合は、以下の処理を行った上で、ステップＳ１７に移行する。
【００９８】
即ち、判定部２１は、１人以上のユーザの測定値が標準値範囲の値でないと判定された１つ以上の測定項目の各々について、該１人以上のユーザのうち該測定項目の測定値の標準値範囲からの逸脱の度合いが最も大きいユーザの該度合いを示す重み付け係数（一部の測定項目については重み付け係数と状態値）を特定する。判定部２１は、該１つ以上の測定項目の各々について、該測定項目について特定した重み付け係数（該重み付け係数と状態値）と該測定項目の項目ＩＤとをキーワード選定部２２に渡した上で、ステップＳ１７に移行する。
【００９９】
その後、テレビ１は、実施形態１で説明したステップＳ７〜Ｓ９と同様の処理を行い（ステップＳ１７〜ステップＳ１９）、図６のフローチャートに従った動作を終了する。
【０１００】
以上の説明からわかるように、本実施形態によれば、いずれかの測定項目の測定値が正常値ではない複数人の視聴者が、テレビ１に表示されている番組表から視聴番組を選択しようとする場合において、各々が自身にとって有益な番組を逸早く見つけ出すことができる。
【０１０１】
〔実施形態３〕
本発明の他の実施形態に係るテレビ１について、更に図７および表５に基づいて説明する。
【０１０２】
図７は、本実施形態に係るテレビ１の機能ブロック図である。
【０１０３】
図７を、実施形態１に係るテレビ１の機能ブロック図を示す図２と対比するとわかるように、本実施形態に係るテレビ１の構成は、実施形態１に係るテレビ１の構成と以下の点で異なっている。
【０１０４】
即ち、本実施形態に係るテレビ１のメモリ１７（記憶部）には、ＥＰＧ３２ではなく録画番組リスト（録画リスト）３４が記録されている。
【０１０５】
また、本実施形態に係るテレビ１も、健康情報携帯端末２との通信が開始したことが感知されたときに、図４のフローチャートに従った動作を行うが、本実施形態に係るテレビ１の動作は、実施形態１に係るテレビ１の動作と以下の点で異なっている。
【０１０６】
即ち、本実施形態に係るテレビ１の番組抽出部２３は、ステップＳ８において、メモリ１７に記録されており、録画番組リスト３４に含まれている全録画番組の中から、ステップＳ７にて選定されたキーワードに関連する番組（推奨番組）を抽出（検索）するようになっている。
【０１０７】
これにより、テレビ１は、ステップＳ９において、例えば、下記表５のような推奨番組のリストを表示することになる。
【０１０８】
【表５】
2016140280.tif 000007
【０１０９】
〔実施形態４〕
本発明の他の実施形態について、更に図８および表６に基づいて説明する。
【０１１０】
図８は、本実施形態に係るテレビ１の機能ブロック図である。
【０１１１】
図８を、実施形態１に係るテレビ１の機能ブロック図を示す図２と対比するとわかるように、本実施形態に係るテレビ１の構成は、実施形態１に係るテレビ１の構成と以下の点で異なっている。
【０１１２】
すなわち、本実施形態に係るテレビ１のメモリ１７には、ＥＰＧ３２ではなくジャンルテーブル３３が記録されている。
【０１１３】
ジャンルテーブル３３は、下記表６のような、測定項目（項目ＩＤ）毎に、その測定項目の測定値が標準値範囲の値でないようなユーザに推奨する番組のジャンルを示したテーブルである。
【０１１４】
【表６】
2016140280.tif 000008
【０１１５】
また、本実施形態に係るテレビ１の制御部１６は、キーワード選定部２２に代えてジャンル選定部２５を備えている。ジャンル選定部２５は、メモリ１７のジャンルテーブル３３を参照し、判定部２１から渡された項目ＩＤ（あるいは、項目ＩＤと状態値との組み合わせ）に対応するジャンルを特定する。
【０１１６】
本実施形態に係るテレビ１は、健康情報携帯端末２との通信が開始したことが感知されたときに、図４のフローチャートに従った動作とは一部異なる動作を行う。
【０１１７】
即ち、本実施形態に係るテレビ１は、健康情報携帯端末２との通信が開始したことが感知されると、図４のフローチャートのステップＳ１〜ステップＳ６の動作を行うが、以降の動作が、実施形態１に係るテレビ１と異なっている。
【０１１８】
具体的には、ジャンル選定部２５は、ステップＳ７に代わるステップにおいて、ジャンルテーブル３３を参照することにより、判定部２１から渡された各項目ＩＤについて、該項目ＩＤ（測定項目）に対応するジャンルを選定する。
【０１１９】
このステップの後、ジャンル選定部２５は、判定部２１から渡された各項目ＩＤについて、該項目ＩＤに対応する選定したジャンルを示すジャンル情報と、判定部２１から該項目ＩＤと一緒に渡された重み付け係数とを番組抽出部２３に渡す。
【０１２０】
更に、ステップＳ８に代わるステップにおいて、番組抽出部２３は、ＥＰＧ３２が示す番組表の中から、選定されたジャンルの番組（推奨番組）を抽出（検索）し、抽出した番組の番組情報をリスト作成部２４に渡す。
【０１２１】
具体的には、番組抽出部２３は、ジャンル選定部２５からジャンル情報と一緒に渡された重み付け係数に基づいて、そのジャンル情報が示すジャンルの番組の推奨度を決定し、推奨番組の番組情報を推奨度の高い順にリスト作成部２４に渡す。
【０１２２】
本実施形態１に係るテレビ１のリスト作成部２４は、このステップの後、ステップ９にて、推奨番組のリストを作成し、作成した推奨番組のリストを表示する。
【０１２３】
〔付記事項１〕
実施形態１に係るテレビ１は、標準値範囲外の値であるような測定値（異常値）について、多段階のレベルの中からその異常値の異常度のレベル（重み付け係数）を決定するようになっていた。そして、テレビ１は、推奨番組のリストを作成するために、この重み付け係数を用いていた。
【０１２４】
しかしながら、本発明は、そのような構成に限定されない。
【０１２５】
即ち、実施形態１に係るテレビ１は、重み付け係数を用いずに、推奨番組のリストを作成してもよい。この場合、テレビ１の番組抽出部２３は、ステップＳ８において、番組表から抽出した推奨番組の番組情報を任意の順序でリスト作成部２４に供給してもよい。
【０１２６】
〔付記事項２〕
本発明に係る情報提示装置の一例として、実施形態１に係るテレビ１を挙げたが、本発明に係る情報提示装置は、テレビには限定されず、以下のような番組表アプリケーションがインストールされ、ユーザの健康情報を保持している携帯端末であってもよい。
【０１２７】
即ち、この携帯端末には、健康情報に含まれる測定項目に関する測定値を参照し、この測定値が標準値範囲の値であるか否かを判定する判定手段と、この測定値が標準値範囲の値ではないと判定された場合に、この測定項目に応じたキーワードを用いて番組表の中から上記ユーザ向けの推奨番組を検索する検索手段と、検索された推奨番組を上記ユーザに素早く認識させるような表示態様で、番組表を表示する番組表提示手段とを備えた番組表アプリケーションがインストールされていてもよい。
【０１２８】
〔ソフトウェアによる実現例〕
テレビ１の制御ブロック（特に制御部１６）は、集積回路（ＩＣチップ）等に形成された論理回路（ハードウェア）によって実現してもよいし、ＣＰＵ（Central Processing Unit）を用いてソフトウェアによって実現してもよい。
【０１２９】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３０】
〔まとめ〕
本発明の態様１に係る情報提示装置（例えば、テレビ１）はユーザの身体のある測定項目に関する測定値を参照し、上記測定値が標準値範囲の値であるか否かを判定する判定部（例えば、判定部２１）と、上記測定値が上記標準値範囲の値ではないと判定された場合に、上記測定項目に応じた所定のキーワードを用いて上記ユーザ向けの推奨番組を検索する検索部（例えば、番組抽出部２３）と、上記推奨番組を上記ユーザに認識させるための情報を提示する情報提示部（例えば、リスト作成部２４）とを備えている。
【０１３１】
上記の構成によれば、上記情報提示装置は、測定値が標準値範囲の値でないような測定項目に応じたキーワードを用いて番組を検索することにより、ユーザの健康状態に応じた有益な推奨番組の情報を提示する。
【０１３２】
従って、上記情報提示装置は、ユーザの健康状態に応じた有益な番組の情報を、そのユーザが見つけることを容易にする、という効果を奏する。
【０１３３】
本発明の態様２に係る情報提示装置は、上記態様１において、携帯端末から上記測定値を無線で受信する受信部をさらに備えていてもよい。
【０１３４】
上記の構成によれば、上記情報提示装置は、測定値を手入力する手間をかけさせることなく、健康状態に応じた有益な番組をユーザに得させることができる、という更なる効果を奏する。
【０１３５】
本発明の態様３に係る情報提示装置は、上記態様１または２において、上記判定部は、複数のユーザの各々の上記測定値について判定を行い、上記検索部は、上記測定値が上記標準値範囲の値ではないと判定された各ユーザについて、該ユーザ向けの推奨番組を検索してもよい。
【０１３６】
上記の構成によれば、上記情報提示装置は、複数のユーザの各々について、ユーザの健康状態に応じた有益な番組の情報を、そのユーザが見つけることを容易にする、という更なる効果を奏する。
【０１３７】
本発明の態様４に係る情報提示装置は、上記態様１〜３のいずれかの態様において、上記検索部は、記憶部（例えば、メモリ１７）に記憶されている録画済みの複数の番組の中から上記推奨番組を検索してもよい。
【０１３８】
上記の構成によれば、上記情報提示装置は、膨大の数の録画番組の中から、ユーザの健康状態に応じた有益な番組の情報を、そのユーザが見つけることを容易にする、という更なる効果を奏する。
【０１３９】
本発明の態様５に係る情報提示装置は、上記態様１〜４のいずれかの態様において、上記検索部に代えて、上記測定値が上記標準値範囲の値ではないと判定された場合に、上記測定項目に応じて予め定められたジャンルの番組を上記ユーザ向けの推奨番組として検索する検索部を備えていてもよい。
【０１４０】
上記の構成によれば、上記情報提示装置は、上記いずれかの態様に係る情報提示装置と同様の作用効果を奏する。
【０１４１】
本発明の態様６に係る情報提示装置は、上記態様１〜４のいずれかの態様において、上記測定項目の標準値範囲からの、該測定項目に関する測定値の逸脱の度合いに基づいて、該測定項目に対応するキーワードを用いて検索される推奨番組の推奨度を決定する決定処理部（例えば、番組抽出部２３）を備え、上記判定部は、複数の測定項目の各々の上記測定値について判定を行い、
上記検索部は、複数の測定項目について測定値が上記標準値範囲の値ではないと判定された場合に、該複数の測定項目に対応する複数のキーワードを用いて、上記ユーザ向けの推奨番組を検索するようになっており、上記情報提示部が提示する情報は、上記推奨番組を上記推奨度の高い順に上記ユーザに認識させるための情報であってもよい。
【０１４２】
上記の構成によれば、上記情報提示装置は、ユーザの健康状態に応じた有益な推奨番組の情報を、その推奨番組の推奨度の高い順にユーザの目にとめさせることができる、という更なる効果を奏する。
【０１４３】
本発明の態様７に係る情報提示方法は、ユーザの身体のある測定項目に関する測定値を参照し、上記測定値が標準値範囲の値であるか否かを判定する判定ステップと、上記測定値が上記標準値範囲の値ではないと判定された場合に、上記測定項目に応じた所定のキーワードを用いて上記ユーザ向けの推奨番組を検索する検索ステップと、上記推奨番組を上記ユーザに認識させるための情報を提示する情報提示ステップとを含んでいる。
【０１４４】
上記の構成によれば、上記情報提示方法は、上記態様１に係る情報提示装置と同様の作用効果を奏する。
【０１４５】
本発明の各態様に係る情報提示装置は、コンピュータによって実現してもよく、この場合には、コンピュータを上記情報提示装置が備える各部（ソフトウェア要素）として動作させることにより上記情報提示装置をコンピュータにて実現させる情報提示装置の情報提示プログラム（本発明の態様８に係る情報提示プログラム）、およびそれを記録したコンピュータ読み取り可能な記録媒体（本発明の態様９に係る記録媒体）も、本発明の範疇に入る。
【０１４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４７】
本発明は、推奨番組の提示に利用することができる。
【符号の説明】
【０１４８】
１  テレビ（情報提示装置）
２  健康情報携帯端末
１０  送受信部（受信部）
１１  チューナー
１２  表示部
１３  画像処理部
１４  スピーカ
１５  音声処理部
１６  制御部
１７  メモリ（記憶部）
２０  取得部
２１  判定部
２２  キーワード選定部
２３  番組抽出部（検索部、決定処理部）
２４  リスト作成部（情報提示部）
２５  ジャンル選定部
３０  標準値テーブル
３１  キーワードテーブル
３２  ＥＰＧ
３３  ジャンルテーブル
３４  録画番組リスト
【図１】
2016140280.tif 000009
【図２】
2016140280.tif 000010
【図３】
2016140280.tif 000011
【図４】
2016140280.tif 000012
【図５】
2016140280.tif 000013
【図６】
2016140280.tif 000014
【図７】
2016140280.tif 000015
【図８】
2016140280.tif 000016
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
ユーザの身体のある測定項目に関する測定値を参照し、上記測定値が標準値範囲の値であるか否かを判定する判定部と、
上記測定値が上記標準値範囲の値ではないと判定された場合に、上記測定項目に応じた所定のキーワードを用いて電子番組表が示す番組の中から上記ユーザ向けの推奨番組を検索する検索部と、
上記推奨番組を上記ユーザに認識させるための情報を上記電子番組表に提示する情報提示部とを備えている、
ことを特徴とする情報提示装置。
【請求項２】
携帯端末から上記測定値を無線で受信する受信部をさらに備える
ことを特徴とする請求項１に記載の情報提示装置。
【請求項３】
上記判定部は、複数のユーザの各々の上記測定値について判定を行い、
上記検索部は、上記測定値が上記標準値範囲の値ではないと判定された各ユーザについて、該ユーザ向けの推奨番組を検索する
ことを特徴とする請求項１または２に記載の情報提示装置。
【請求項４】
上記検索部は、記憶部に記憶されている録画済みの複数の番組の中から上記推奨番組を検索する
ことを特徴とする請求項１〜３の何れか１項に記載の情報提示装置。
【請求項５】
上記検索部に代えて、上記測定値が上記標準値範囲の値ではないと判定された場合に、上記測定項目に応じて予め定められたジャンルの番組を上記ユーザ向けの推奨番組として検索する検索部を備えている、
ことを特徴とする請求項１〜４の何れか１項に記載の情報提示装置。
【請求項６】
上記測定項目の標準値範囲からの該測定項目に関する測定値の逸脱の度合いに基づいて、該測定項目に対応するキーワードを用いて検索される推奨番組の推奨度を決定する決定処理部を備え、
上記判定部は、複数の測定項目の各々の上記測定値について判定を行い、
上記検索部は、複数の測定項目について測定値が上記標準値範囲の値ではないと判定された場合に、該複数の測定項目に対応する複数のキーワードを用いて、上記ユーザ向けの推奨番組を検索するようになっており、
上記情報提示部が提示する情報は、上記推奨番組を上記推奨度の高い順に上記ユーザに認識させるための情報である
ことを特徴とする請求項１〜４の何れか１項に記載の情報提示装置。
【請求項７】
ユーザの身体のある測定項目に関する測定値を参照し、上記測定値が標準値範囲の値であるか否かを判定する判定ステップと、
上記測定値が上記標準値範囲の値ではないと判定された場合に、上記測定項目に応じた所定のキーワードを用いて電子番組表が示す番組の中から上記ユーザ向けの推奨番組を検索する検索ステップと、
上記推奨番組を上記ユーザに認識させるための情報を上記電子番組表に提示する情報提示ステップとを含む、
ことを特徴とする情報提示方法。
【請求項８】
請求項１から６の何れか１項に記載の情報提示装置を備えていることを特徴とするテレビジョン受像機。
【請求項９】
請求項１〜６の何れか１項に記載の情報提示装置としてコンピュータを機能させるための情報提示プログラムであって、上記判定部、検索部、および情報提示部としてコンピュータを機能させるための情報提示プログラム。
【請求項１０】
請求項９に記載の情報提示プログラムを記録したコンピュータ読み取り可能な記録媒体。
【国際調査報告】
2016140280.tif 000017
2016140280.tif 000018
2016140280.tif 000019
2016140280.tif 000020